(57)【要約】【課題】印刷物の使用環境に適合した印刷条件の設定を簡易に行えるようにする。【解決手段】印刷指示装置１０の印刷物使用条件取得手段１０５を、印刷物使用条件構成物３０の通信手段３０１に近づけて、条件取得釦を押すことで、印刷物使用条件取得手段１０５から印刷物使用条件４００を取得する。印刷指示装置１０は、得られた印刷物使用条件４００に従って印刷条件選択メニュー１０４Ｃのパラメータを自動設定する。ユーザは、画面を見ながら必要があれば、パラメータの一部修正を手動で変更する。印刷指示装置１０は、印刷開始釦１０４Ｄの操作に応じて、印刷条件４０１を作成する。印刷指示装置１０は、同装置内もしくはネットワーク上の別のサーバーから得た印刷したいデータ４０２と、先に作成した印刷条件４０１をプリンタ２０に対プリンタ通信手段１０６により転送する。プリンタ２０は、それら２つのデータに基づいて印刷処理を行う。【選択図】  図１
2004199471.tif 000002
【特許請求の範囲】
【請求項１】
プリンタに対して電子データの印刷指示を実行する印刷指示装置において、
印刷物を使用する環境を構成する印刷使用環境構成物であって上記印刷物を使用する環境を印刷条件に反映させるための印刷物使用環境反映用情報を保持するものから、上記印刷物使用環境反映用情報を取得する印刷物使用環境反映用情報取得手段を備え、
上記印刷物使用環境反映用情報を利用して上記印刷指示の印刷条件を生成し、上記プリンタに対して印刷指示を実行することを特徴とする印刷指示装置。
【請求項２】
上記印刷物使用環境反映用情報は、印刷物使用環境に関する情報である請求項１記載の印刷指示装置。
【請求項３】
上記印刷物使用環境反映用情報は、印刷条件に関する情報である請求項１記載の印刷指示装置。
【請求項４】
プリンタに対して電子データの印刷指示を実行する印刷指示装置において、
プリンタとデータ通信する対プリンタ通信手段と、
印刷する電子データ、出力するプリンタ、印刷条件などを表示するための表示手段と、
上記印刷する電子データ、上記出力するプリンタ、上記印刷条件などを選択したり数値を入力したりするための入力手段と、
印刷物を使用する環境を構成する印刷使用環境構成物であって上記印刷物を使用する環境を印刷条件に反映させるための印刷物使用環境反映用情報を保持するものから、上記印刷物使用環境反映用情報を取得する印刷物使用環境反映用情報取得手段を備え、
上記印刷物使用環境反映用情報を利用して上記印刷指示の印刷条件を生成し、上記プリンタに対して印刷指示を実行することを特徴とする印刷指示装置。
【請求項５】
上記印刷物使用環境反映用情報取得手段が、無線タグリーダである請求項１、２、３または４に記載の印刷指示装置。
【請求項６】
上記対プリンタ通信手段が、プリンタと無線通信を行う請求項４記載の印刷指示装置。
【請求項７】
上記印刷物使用環境反映用情報に基づいて、通信可能なプリンタの中でもっとも条件に合うプリンタを選び出してプリンタの選択を自動実行し、または条件に合うプリンタをフィルタリングして選択可能なプリンタとしてユーザに呈示する請求項４または５記載の印刷指示装置。
【請求項８】
上記印刷使用環境構成物が、上記印刷物使用環境反映用情報とともに印刷対象のデータのファイル名および保管場所を保持し、上記印刷物使用環境反映用情報取得手段が印刷物使用環境反映用情報とともに上記印刷対象のデータのファイル名および保管場所を取得し、印刷対象のデータを自動的に選択して印刷指示を実行する請求項１〜７のいずれかに記載の印刷指示装置。
【請求項９】
上記印刷物使用環境反映用情報取得手段が、複数の印刷使用環境構成物から印刷物使用環境反映用情報を取得し、複数の印刷物使用環境反映用情報を地要して印刷条件を生成する請求項１〜８のいずれかに記載の印刷指示装置。
【請求項１０】
生成した上記印刷条件を保持する手段をさらに有し、一旦保存した印刷条件を、後に別の印刷指示の時に再利用するようにした請求項１〜９のいずれかに記載の印刷指示装置。
【請求項１１】
プリンタに対して電子データの印刷指示を実行する印刷指示装置において、
印刷条件の少なくとも一部を規定する要因を構成する物であって上記印刷条件の少なくとも一部に関するデータを保持するものから、上記印刷条件の少なくとも一部に関するデータを取得する印刷条件取得手段を備え、
上記印刷条件の少なくとも一部に関するデータを利用して上記印刷指示の印刷条件を生成し、上記プリンタに対して印刷指示を実行することを特徴とする印刷指示装置。
【請求項１２】
プリンタと、上記プリンタに対して電子データの印刷指示を実行する印刷指示装置と、印刷物を使用する環境を構成する印刷使用環境構成物に付随して設けられ、上記印刷物を使用する環境を印刷条件に反映させるための印刷物使用環境反映用情報を保持する印刷物使用環境反映用情報保持装置とを有してなる印刷システムにおいて、
上記印刷指示装置は、上記印刷物使用環境反映用情報保持装置から上記印刷物使用環境反映用情報を取得し、上記印刷物使用環境反映用情報を利用して上記印刷指示の印刷条件を生成し、上記プリンタに対して印刷指示を実行することを特徴とする印刷システム。
【請求項１３】
上記印刷物使用環境構成物はファイル用文房具であり、上記ファイル用文房具に綴じるドキュメントの書式を記録した無線タグが上記ファイル用文房具に貼付され、上記印刷指示装置が上記無線タグから上記書式を取得し上記プリンタが指定の書式で印刷を行う請求項８記載の印刷システム。
【請求項１４】
上記印刷物使用環境構成物は印刷物そのものであり、印刷物のドキュメントのファイル名や電子データの格納場所などのドキュメント情報、サイズや画像処理などのプリント形式を示すプリント情報、所有者や課金に関する情報などの管理情報が上記印刷物に保管されており、上記印刷物から得た情報により、ポスターなど印刷物と同様のものを容易にプリントし、かつ所有者、課金情報などにより、著作権料を支払うなどの管理を実現する請求項８記載の印刷システム。
【請求項１５】
印刷物本体を使用する環境を印刷条件に反映させるための印刷物使用環境反映用情報を保持する印刷物。
【請求項１６】
印刷物本体のドキュメントのファイル名や電子データの格納場所などのドキュメント情報、サイズや画像処理などのプリント形式を示すプリント情報、所有者や課金に関する情報などの管理情報を保持する請求項１５記載の印刷物。
【請求項１７】
保持対象の情報を無線タグに保持し上記無線タグを取り付けられた請求項１５または１６記載の印刷物。
【発明の詳細な説明】
【０００１】
【発明の属する技術分野】
本発明は、ドキュメントを印刷する際に、必要に応じて印刷条件を指定し、プリンタに対して印刷指示を実行する印刷指示技術に関する。
【０００２】
【従来の技術】
なんらかの端末から電子データを印刷する操作において、例えばパソコンからプリンタへ印刷を指示する際、プリンタドライバがパソコンに表示する画面から印刷条件、たとえば印刷サイズや印刷枚数、カラーか白黒かなどを指定して、印刷を指示する操作を行っていた。
【０００３】
また、このような面倒な操作を簡略化するために、何も指定しなくても、作成したドキュメントが指定しているサイズが自動設定されたり、あるいはプリンタの持っている標準的な印刷サイズに自動設定されたりするというような方法も一般的に取られたきた。
【０００４】
さらに、特許文献１などのように、デジタルカメラがプリンタと無線通信することにより、プリンタの事情に合わせて前処理をしてからデータを送信することにより印刷するという自動設定技術が開発されて来ている。
【０００５】
しかし、これらは作られたデータの事情やプリンタの事情から印刷条件を自動設定するものでしかなく、どのような条件でその印刷物を使用するのかといった観点が自動設定に反映されないという問題がある。
【０００６】
このため、たとえば元々Ａ４サイズ用に作られたデータだけれど、ポスターに使いたいといった場合や、逆に手帳に貼りたいといった場合に、貼る場所の大きさをいちいち計測してから印刷サイズを指定しなければならないというような不便さがあった。
【特許文献１】
特開２００２−５７９３６公報
【０００７】
【発明が解決する課題】
本発明の目的は、端末からプリンターへ印刷指示をする際に、印刷物の使用条件（使用環境ともいう）を容易に印刷条件に反映させる手段を提供することにより、ユーザの希望に合った印刷をより簡単にできるようにすることにある。
【０００８】
【課題を解決するための手段】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００９】
すなわち、この発明の一側面によれば、上述の目的を達成するために、プリンタに対して電子データの印刷指示を実行する印刷指示装置に、印刷物を使用する環境を構成する印刷使用環境構成物であって上記印刷物を使用する環境を印刷条件に反映させるための印刷物使用環境反映用情報を保持するものから、上記印刷物使用環境反映用情報を取得する印刷物使用環境反映用情報取得手段を設け、上記印刷物使用環境反映用情報を利用して上記印刷指示の印刷条件を生成し、上記プリンタに対して印刷指示を実行するようにしている。
【００１０】
この構成においては、印刷指示装置が印刷物使用環境構成物から印刷物使用環境反映用情報を取得して印刷物使用環境を反映した印刷条件を生成し、この印刷条件を伴う印刷指示をプリンタに送信する。この結果、印刷物を使用する環境（条件）に合致した印刷条件を簡易に設定可能である。
【００１１】
印刷物使用環境構成物は、印刷物を使用する環境ないし条件を構成する物（人物の場合もある）であり、また印刷条件を決定する要因を構成する物ということもできる。
【００１２】
印刷物使用環境構成物は、例えば、▲１▼印刷するラベルなどの印刷対象物そのもの、あるいは印刷したものを入れたり貼ったりするもの、▲２▼照明装置、壁等の、印刷物が掲示される場合の見栄え、色合いの変化に関わるもの、▲３▼印刷物を見る人、使う人（例えば高齢の人には大きな文字を用いる、自国語に応じて使用文字や記号を変える）、▲４▼掲示場等の場所、▲５▼印刷物そのもの（まったく同じ体裁の複製を作るという要望が有る場合など）である。
【００１３】
上記印刷物使用環境反映用情報は、印刷物使用環境に関する情報である場合もあるし、印刷条件に関する情報である場合もある。印刷物使用環境に関する情報は、その使用環境ないし使用条件の１つまたは複数の属性でもよいし、印刷物使用環境の識別子であってもよい。印刷物使用環境に関する情報が印刷物使用環境の識別子である場合には、当該識別子から属性やさらには印刷条件を取り出すテーブル等を用いることが好ましい。印刷条件に関する条件は、例えば、変更する印刷条件の属性やその設定値である。もちろん印刷条件すべてであっても良い。
【００１４】
また、上記印刷物使用環境構成物は印刷物そのものであってもよい。この場合、印刷物のドキュメントのファイル名や電子データの格納場所などのドキュメント情報、サイズや画像処理などのプリント形式を示すプリント情報、所有者や課金に関する情報などの管理情報が上記印刷物に保管されており、上記印刷物から得た情報により、ポスターなど印刷物と同様のものを容易にプリントし、かつ所有者、課金情報などにより、著作権料を支払うなどの管理を実現する。
【００１５】
本発明は、印刷物本体を使用する環境を印刷条件に反映させるための印刷物使用環境反映用情報を保持する印刷物としても実現できる。上記印刷物は、例えば、印刷物本体のドキュメントのファイル名や電子データの格納場所などのドキュメント情報、サイズや画像処理などのプリント形式を示すプリント情報、所有者や課金に関する情報などの管理情報を保持する。
【００１６】
上記印刷物には例えば無線タグが着脱自在にあるいは固定的に取り付けられ、この無線タグが保持対象の情報を保持する。もちろん他の態様で情報を保持することが可能であり、記号、バーコード等で印刷物自体に記録するようにしても良い。
【００１７】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００１８】
【発明の実施の形態】
以下、この発明の実施例について説明する。
【００１９】
［実施例１］
図１は本発明の実施例１の印刷指示装置１０の基本構成を示したものである。また、図２はこの実施例の印刷指示装置１０と、プリンタ２０と、印刷物使用条件構成物３０との関係を示した概略図である。
【００２０】
これらの図において、印刷指示装置１０は、各種の演算を行うＣＰＵ１０１、データを一時的に保持するメモリ１０２、印刷するファイルや、出力するプリンタ、印刷する条件などを表示するための表示装置１０３、各種の操作を行ったり、印刷条件を入力したりする入力装置１０４、外部の印刷物使用条件構成物３０から印刷物使用条件４００を取得するための印刷物使用条件取得手段１０５、プリンタ２０へ印刷条件４０１、印刷データ（印刷したいデータ）４０２を送ったりするときに使用する対プリンタ通信手段１０６とから構成される。
【００２１】
印刷物使用条件取得手段１０５は、印刷物が使用される条件（環境）のすべてまたは一部をデータとして持っている印刷物使用条件構成物３０に備えられている通信手段３０１と通信する。この通信は、ケーブルレスで簡便であること、通信するデータ量が小さいのでさほど早い通信速度が必要ないこと、情報を得る相手を間違いにくい、という点で、それぞれ、無線タグリーダと、無線タグが用いることが好ましい。無線タグはＩＣチップおよびループ状のアンテナからなる微小サイズの通信装置であり、無線タグリーダは、無線タグからデータを無線により読み出す装置である。
【００２２】
また、対プリンタ通信手段１０６も、ケーブルレスでプリンタ２０と簡便に通信ができるという点で無線ＬＡＮなどの無線通信機能が挙げられる。なお、図ではプリンタ２０を１つのみ示しているが、複数のプリンタ２０が用いられても良い。
【００２３】
印刷物使用条件構成物３０の具体例としては、
【００２４】
▲１▼印刷するラベルなど対象物そのもの、あるいは印刷したものを入れたり貼ったりするもの：ファイル、掲示板、掲示パネル、ラベルシールのパッケージ、額縁、ＣＤ、ＣＤケースなど
【００２５】
▲２▼印刷物が掲示される場合の見栄え、色合いの変化に関わるもの：照明装置、壁、床、天井など
【００２６】
▲３▼印刷物を見る人、使う人に関わるもの：人（その人の年齢や性別、国籍、服装など）
【００２７】
▲４▼場所特有の条件に関わるもの
掲示板：掲示物の大きさや色、フォントなどのルールが決まっているなど
【００２８】
▲５▼印刷物そのもの
これと全く同じ条件で、これと全く同じものを同じように印刷したいなど
などが挙げられる。
【００２９】
図３は、図１の表示装置１０３に表示する、ユーザインターフェース画面の一例である。この例では、パソコンにおけるユーザインターフェースを想定しているため、マウスとキーボードによる操作を前提としている。
【００３０】
図２および図３を主に用いて、本システムの一般的な流れを簡単に説明する。なお、以下のステップ▲１▼、▲２▼、▲３▼および▲４▼は図３のユーザインタフェースの各操作箇所に対応する。
【００３１】
［ステップ▲１▼］
印刷指示装置１０は、同装置内もしくはプリンタ２０とネットワークでつながっている図示しない外部のサーバ内にある、印刷データ（印刷したいデータ）４０２を、図３のファイル選択メニュー１０４Ａから検索して選択する。
【００３２】
［ステップ▲２▼］
次に、おなじくプリンタ選択メニュー１０４Ｂから出力したいプリンタを検索して選択する。
【００３３】
［ステップ▲３▼−１］
次に、印刷するための条件を指定するため、印刷指示装置１０の印刷物使用条件取得手段１０５を、印刷物使用条件構成物３０の通信手段３０１に近づけて、表示装置１０３に表示される図示しない、条件取得釦を押すことで、印刷物使用条件取得手段１０５および通信手段３０１との間で通信が行われ、印刷物使用条件４００を得ることができる。
【００３４】
［ステップ▲３▼−２］
印刷指示装置１０は、得られた印刷物使用条件４００に従って印刷条件選択メニュー１０４Ｃのパラメータを自動設定する。ユーザは、画面を見ながら必要があれば、パラメータの一部修正を手動で変更する。
【００３５】
［ステップ▲４▼］
印刷条件の設定が完了したら、印刷開始釦１０４Ｄを押す。
【００３６】
印刷指示装置１０は、印刷開始釦１０４Ｄが押されると同時に、印刷条件４０１を作成する。
【００３７】
［ステップ▲５▼］
印刷指示装置１０は、同装置内もしくはネットワーク上の別のサーバーから得た印刷したいデータ４０２と、先に作成した印刷条件４０１をプリンタ２０に対プリンタ通信手段１０６により転送することにより、プリンタ２０は、それら２つのデータを元に処理を行うことで印刷が行われる。
【００３８】
この例では、印刷したいデータ４０２と印刷条件４０１を送る例を示したが、印刷したいデータ４０２のデータフォーマットを選んだプリンタ２０が直接処理できない場合には、印刷指示装置１０で印刷したいデータ４０２と印刷条件４０１に合わせてプリンタドライバにより予め処理して印刷データを作成した上で、出来上がった印刷データをプリンタ２０へ転送するという方法も採用できる。
【００３９】
［実施例２］
つぎに本発明の実施例２について説明する。
【００４０】
印刷条件選択メニュー１０４Ｃの内容は、既存の一般的なプリンタのものと同じである。たとえば、印刷するページ指定や枚数指定の他に、
▲１▼印刷サイズに関するもの（紙サイズ、印刷サイズ）
▲２▼グラフィックに関するもの（カラー、白黒、解像度、色補正など）
▲３▼フォントに関するもの（使用フォント、フォントサイズなど）
▲４▼印刷の面付けに関するもの（両面印刷、複数枚同梱印刷など）
▲５▼加工処理（ふちどりなど）
▲６▼後処理（ソート、ホチキス、パンチなど）
▲７▼付加処理（スタンプなど）
が挙げられる。
【００４１】
印刷物使用条件構成物３０から得た印刷物使用条件４００と、それをどのように自動設定に反映させるのかということについての具体例を次に説明する。
【００４２】
たとえば、所定の文書ファイル（ファイル用文房具）に保存するために、ある電子データを印刷したいとする。この時、文書ファイル（ファイル用文房具）の無線タグに含まれる印刷物使用条件４００と、上記印刷条件選択メニュー１０４Ｃの内容との間で図４に示すような関連性をもたせておけばよい。
【００４３】
このようにしておくことにより、簡単に印刷条件を設定できるだけでなく、当該ファイル用文房具に綴じるドキュメントの書式を統一することも容易にできるため、ＩＳＯ９００１などの規則にのっとった文書の保存には最適な印刷サービスが実現できる。
【００４４】
［実施例３］
つぎに本発明の実施例３について説明する、。
【００４５】
さきほどは、１つの印刷物使用条件構成物３０からのみ、印刷物使用条件４００を得て、自動設定する例を示したが、複数の印刷物使用条件構成物３０からでも、もちろんよい。その例をここで示す。
【００４６】
たとえば、ある展示会に出展するためのパネルがあるとする。その展示パネルに無線タグなどで記録されている情報を、印刷指示装置１０に備えられている無線タグリーダを近づけて印刷物使用条件（条件名：展示パネル）４００を読み込むことで、まず図５に示すような自動設定が行える。
【００４７】
さらに、こんどは、その展示パネルを照らす照明装置に無線タグなどで記録されている情報を、印刷指示装置１０に備えられている無線タグリーダを近づけて印刷物使用条件４００を読み込むことで、照明の色調情報を得て、グラフィックの項目に関して、照明の色調情報に応じた色補正処理を図６に示すように自動設定内容に追加することが可能となる。
【００４８】
また、印刷サイズに関して、印刷物使用条件（条件名：ルックスＡＢＣ）のままでデフォルトで設定しているが、ユーザが印刷条件選択メニューにより、図示しない貼付枚数を１枚からたとえば４枚に指定することで、パネルに４枚貼りたいというユーザの希望を基本として、印刷サイズを自動的に、Ａ４に設定する、というような使い方も可能である。
【００４９】
これまでのように、ユーザーがいちいち紙のサイズを指定するのではなく、ここに、何枚貼りたいんだというユーザの欲求を直接反映して、簡単に印刷することが可能となる。
【００５０】
［実施例４］
つぎに本発明の実施例４について説明する。
【００５１】
実施例１における説明では、プリンタの選択をユーザ自身で行ってが、これを適合的に選択するようにしても良い。すなわち、印刷条件選択メニュー１０４Ｃにおける条件取得により取得した印刷物使用条件４００に応じて、ネットワーク上で接続されているプリンタの中で、最適なものを選んで自動的に選択するか、あるいは条件にあうものを自動的にフィルタリングして表示することにより、プリンタの選択も、全自動、もしくは半自動にすることも可能である。
【００５２】
［実施例５］
つぎに本発明の実施例５について説明する。
【００５３】
実施例２および３では、印刷物使用条件構成物３０がファイル（ファイル用文房具）やパネルなどであったが、直接印刷物を印刷物使用条件構成物３０として選んで印刷物使用条件４００を得ることにより、選んだ印刷物使用条件構成物３０と同じ印刷条件を自動設定するというような方法や、あるいは印刷物使用条件４００の中に、そのドキュメントのファイル名や保存場所のたとえばＵＲＬ情報などを含ませることにより、まったく同じ電子データを、まったく同じ印刷条件を設定して、印刷するというようなことも、可能である。印刷物使用条件４００中にファイル名が含まれるのでなく、印刷物使用条件４００にファイル名が随伴する形態でもよい。要するに、印刷物使用条件４００とファイル名等が印刷物使用条件構成物３０から取得できれば良い。
【００５４】
［実施例６］
つぎに本発明の実施例６について説明する。
【００５５】
これまでの実施例では、印刷指示装置１０が取得した印刷物使用条件４００をその場で使用して印刷指示をプリンタ２０へ送る例を示しているが、本発明ではそれに限定されるものではなく、印刷物使用条件構成物３０から一旦印刷物使用条件４００を取得して、印刷指示装置１０へ保存しておき、しばらくした後に印刷したいファイルを選び、さらに印刷したいプリンタを選択して接続したあと、以前に保存しておいた印刷物使用条件４００を呼び出して設定することも可能である。
【００５６】
この方法により、実施例５をさらに応用して、印刷指示装置１０が個人情報取得手段を持っており、たとえば店頭や町中、電車の中などにあるポスターなどを選んで全く同じ印刷を指示すると、個人情報取得手段により得た個人情報と、印刷したい内容とを、同電子データを管理するサーバーへ送り、そのサーバ経由で印刷サービスをすると同時に、課金するというようなサービスも提供可能である。
【００５７】
これにより、町中のポスターを有料で印刷するサービスを提供することが可能となる。
【００５８】
なお、この発明は上述の実施例に限定されるものではなくその趣旨を逸脱しない範囲で種々変更が可能である。例えば、上述の実施例では、ファイル用文房具等の印刷物使用条件構成物から印刷物使用条件に関する情報を取得したが、その実体は、印刷物使用条件の名称および種類とそれにより決定される印刷条件である。印刷物使用条件の名称、種類あるいはされらの識別子を取得し、これから印刷条件を表引き等により生成するようにしても良い。
【００５９】
【発明の効果】
本発明によれば、ユーザがわざわざ紙のサイズを調べて入力するなどの手間がなく、印刷物使用環境ないし条件に合致した印刷条件の設定を容易にすることできる。
【図面の簡単な説明】
【図１】本発明の実施例１の印刷指示装置を全体として示すブロック図である。
【図２】上述実施例の印刷指示装置、プリンタおよび印刷物使用条件構成物の間の関係を説明する図である。
【図３】上述実施例の印刷指示装置の表示画面の例を説明する図である。
【図４】本発明の実施例２を説明する図である。
【図５】本発明の実施例３を説明する図である。
【図６】本発明の実施例３を説明する図である。
【符号の説明】
１０      印刷指示装置
２０      プリンタ
３０      印刷物使用条件構成物
１０１      ＣＰＵ
１０２      メモリ
１０３      表示装置
１０４      入力装置
１０４Ａ      ファイル選択メニュー
１０４Ｂ      プリンタ選択メニュー
１０４Ｃ      印刷条件選択メニュー
１０４Ｄ      印刷開始釦
１０５      印刷物使用条件取得手段
１０６      対プリンタ通信手段
３０１      通信手段
４００      印刷物使用条件
４０１      印刷条件
４０２      印刷したいデータ
【図１】
2004199471.tif 000003
【図２】
2004199471.tif 000004
【図３】
2004199471.tif 000005
【図４】
2004199471.tif 000006
【図５】
2004199471.tif 000007
【図６】
2004199471.tif 000008